(57)【要約】【課題】マットレスの一端部を湾曲して上昇させたとき利用者の背面が圧迫されるのを防止した背上げ用寝装品を提供することにある。【解決手段】マットレス３１の上面に設けられるベース部材３３と、ベース部材の上面に設けられマットレスの長手方向の一端部が上方に向かって湾曲されたときに利用者の荷重を受けながらベース部材に対して滑動するすべり部材３４を具備する。【選択図】      図６
2015173855.tif 000002
【特許請求の範囲】
【請求項１】
上面に利用者が仰臥するとともに、利用者の上半身が位置する長手方向の一端部側が上方に向かって湾曲されるマットレスの背上げ用寝装品であって、
前記マットレスの上面に設けられるベース部材と、
このベース部材の上面に設けられ前記マットレスの長手方向の一端部が上方に向かって湾曲されたときに前記利用者の荷重を受けながら前記ベース部材に対して滑動するすべり部材と
を具備したことを特徴とするマットレスの背上げ用寝装品。
【請求項２】
前記ベース部材は前記マットレスに着脱可能に保持されることを特徴とする請求項１記載のマットレスの背上げ用寝装品。
【請求項３】
前記ベース部材の上面と、前記すべり部材の下面の少なくとも一方は、前記マットレスの一端部側を湾曲させたときに前記ベース部材に対して前記すべり部材が滑動する滑沢面に形成されていることを特徴とする請求項１記載のマットレスの背上げ用寝装品。
【請求項４】
前記すべり部材の前記マットレスの長手方向の他端部側に対応する部分は、前記ベース部材に連結されていることを特徴とする請求項１記載のマットレスの背上げ用寝装品。
【請求項５】
前記すべり部材は、シート状の材料によって形成された袋体、この袋体の内部に収容され前記マットレスの一端部を湾曲させたときに弾性的に湾曲する硬さを有する芯材によって形成されていることを特徴とする請求項１記載のマットレスの背上げ用寝装品。
【請求項６】
前記ベース部材は、前記マットレスの上面及び外周面を覆うとともに周辺部が前記マットレスの下面に係合する袋体であることを特徴とする請求項１乃至４のいずれかに記載のマットレスの背上げ用寝装品。
【請求項７】
前記すべり部材の前記マットレスの長手方向の一端部に対応する一端は、前記マットレスの一端部側を湾曲させて前記すべり部材が前記ベース部材に対して滑動したとき、前記すべり部材の一端部側が前記ベース部材の長手方向に対して滑動するのを許容するとともに、前記ベース部材の幅方向に対してずれ動くのを阻止するずれ止め部材によって前記マットレス側に連結されていることを特徴とする請求項１記載のマットレスの背上げ用寝装品。
【請求項８】
前記ベース部材は、内部に前記マットレスを収容する第１の袋体であって、
前記すべり部材は、前記マットレスの一端部を湾曲させたときに弾性的に湾曲する硬さを有する芯材を内部に収容した第２の袋体であって、
前記第１の袋体と第２の袋体は、ファスナによって開閉可能に形成されていることを特徴とする請求項１記載のマットレスの背上げ用寝装品。
【請求項９】
前記ベース部材は、前記マットレスの上面に載置されるシート状に形成されていて、
前記ベース部材には、前記マットレスに係合するバンドが設けられていることを特徴とする請求項１記載のマットレスの背上げ用寝装品。
【請求項１０】
前記ベース部材は、伸縮性を有するシート状の材料によって形成されていることを特徴とする請求項１記載のマットレスの背上げ用寝装品。
【発明の詳細な説明】
【技術分野】
【０００１】
この発明は、長手方向の一端部を上方へ湾曲させて利用者の上半身を起こすためのマットレスに用いられる背上げ用寝装品に関する。
【背景技術】
【０００２】
たとえば、体力が低下した利用者が上半身を起こすのを支援したり、利用者が読書や食事をするために上半身を起こした姿勢を維持したい場合など、マットレスの長手方向の一端部側を上方へ湾曲させるようにしている。
【０００３】
前記マットレスの長手方向の一端部側を上方へ湾曲さるためには、いわゆる起床式のベッド装置を用いることが知られている（特許文献１）。また、他の手段としては、マットレスをベースユニットと、このベースユニットの上面に設けられた屈曲可能なクッション体、及びこれらを被覆した外装体によって構成する。前記ベースユニットは固定杆部と可動杆部を有し、この可動杆部を動力伝達機構を介して内蔵された駆動源で駆動することで、前記可動杆部、つまりマットレスの一端部側を起伏させることが知られている（特許文献２）。
【０００４】
上述した手段によって利用者の上半身を起こすために、マットレスの長手方向の一端部を上方へ湾曲させると、マットレスは所定の厚さ寸法を有するから、その厚さ寸法に応じて湾曲の内側となる上面には前記マットレスの長手方向の内方（中心方向）に向かう圧縮力が発生し、外面となる下面には長手方向に沿う引張力が発生する。
【０００５】
そのため、利用者の背面にはマットレスの上面で発生する圧縮力が作用し、その圧縮力によって背面が下方へ押圧され、臀部が後方（湾曲の内側）へ引き込まれるから、腹部が圧迫されるということがある。
【０００６】
そこで、マットレスを湾曲させて利用者の上半身を起こす場合、利用者の腹部に圧迫感を与えないようにするためのマットレスが実用化されている。従来のマットレスは、内装体、及び伸縮性を有する生地によって形成され前記内装体を被覆した袋状の外装体を有し、前記内装体を上下に重合される第１の層状部材と第２の層状部材によって構成とする。
【０００７】
それによって、前記マットレスを湾曲させたとき、前記外装体を伸長させながら上側に位置する前記第１の層状部材が第２の層状部材に対して滑動するから、利用者の背面に加わるマットレスの圧縮力を、マットレスの全体の厚さに比べて低減できるようにしている。
【先行技術文献】
【特許文献】
【０００８】
【特許文献１】特許第３５２５０２７号公報
【特許文献２】特開２００９−１３６６２８号公報
【発明の概要】
【発明が解決しようとする課題】
【０００９】
ところで、背上げ時に利用者の背面に加わる圧縮力を低減させるための従来のマットレスは、上述したように内装体を滑動可能な第１の層状部材と第２の層状部材によって構成しなければならなかった。
【００１０】
すなわち、従来の背上げのマットレスは、背上げ時に利用者の背面に加わる圧縮力を低減するため、既存のマットレスとは異なる構造を採用しなければならなかった。そのため、すでにマットレスを所有している利用者の場合、新たなマットレスを購入しなければならないから、不便であるばかりか、コスト的にも不利であるなどのことがあった。
【００１１】
この発明は、既存のマットレスに装着することで、背上げ時に利用者の背面に加わる圧縮力を低減することができるようにしたマットレスの背上げ用寝装品を提供することにある。
【課題を解決するための手段】
【００１２】
この発明は、上面に利用者が仰臥するとともに、利用者の上半身が位置する長手方向の一端部側が上方に向かって湾曲されるマットレスの背上げ用寝装品であって、
前記マットレスの上面に設けられるベース部材と、
このベース部材の上面に設けられ前記マットレスの長手方向の一端部が上方に向かって湾曲されたときに前記利用者の荷重を受けながら前記ベース部材に対して滑動するすべり部材と
を具備したことを特徴とするマットレスの背上げ用寝装品にある。
【発明の効果】
【００１３】
実施の形態によれば、前記ベース部材とすべり部材を既存のマットレスに容易に設けることができる。それによって、マットレスの長手方向の一端部側を上方に向かって湾曲させたとき、すべり部材がベース部材に対して滑動しながら上方へ競り上がるから、マットレスの湾曲時に利用者の背面に加わる圧縮力を低減させることができる。
【図面の簡単な説明】
【００１４】
【図１】この発明の第１の実施の形態に係るベッド装置を示す側面図。
【図２】図１のベッド装置に用いられるマットレスの平面図。
【図３】同じくマットレスの側面図。
【図４】同じくマットレスの下面図。
【図５】同じくすべり部材の一端部側をベース部材から持ち上げた状態のマットレスの側面図。
【図６】同じく長手方向の一端部が湾曲された状態のマットレスの側面図。
【図７】この発明の第２の実施の形態に係るベース部材とすべり部材の一部を拡大して示す図。
【図８】この発明の第３の実施の形態に係るマットレスを示す側面図。
【図９】この発明の第４の実施の形態に係るマットレスを示す側面図。
【図１０】この発明の第５の実施の形態に係るマットレスを示す側面図。
【図１１】この発明の第６の実施の形態に係るマットレスを示す側面図。
【図１２】この発明の第７の実施の形態に係るマットレスを示す側面図。
【図１３】図１２に示すマットレスに設けられたすべり部材の一端部側を持ち上げた状態を示す側面図。
【発明を実施するための形態】
【００１５】
以下、この発明の実施の形態を図面を参照しながら説明する。  
（第１の実施の形態）
図１乃至図７はこの発明の第１の実施の形態を示す。図１はマットレス３１が用いられる起床式のベッド装置１を示す。このベッド装置１はベース２を備えている。このベース２は矩形枠状に形成されていて、その下面四隅部にはストッパ付きのキャスタ３が設けられている。
【００１６】
前記ベース２の上面にはベッドフレーム４が設けられている。このベッドフレーム４の長手方向一端側にはヘッドボード５ａが立設され、他端にはフットボード５ｂが立設されている。
【００１７】
前記ベッドフレーム４の上面側には床板体６が設けられている。この床板体６はベッドフレーム４の長手方向に沿って５つに分割され、その中央は前記ベッドフレーム４に固定された固定床部７となっている。
【００１８】
前記固定床部７のヘッドボード５ａ側には腰床部８と背床部９とが順次回動可能に連結されている。前記固定床部７のフットボード５ｂ側には第１の脚床部１１と第２の脚床部１２とが順次回動自在に連結されている。
【００１９】
前記ベッドフレーム４には駆動装置１３が設けられている。この駆動装置１３はケース１４を有し、このケース１４の一側には駆動モータ１５が設けられている。前記ケース１４の前記ヘッドボード５ａ側の一端部には第１の駆動軸１６が設けられ、前記フットボード５ｂ側の他端部には第２の駆動軸１７が設けられている。前記第１の駆動軸１６と第２の駆動軸１７は前記駆動モータ１５が作動することで、図中矢印で示す方向に回転駆動されるようになっている。
【００２０】
前記第１の駆動軸１６には第１のアーム１８の一端が連結され、前記第２の駆動軸１７には第２のアーム１９の一端が連結されている。前記第１のアーム１８の他端側には一対の第１のローラ２１が回転可能に設けられ、この第１のローラ２１は前記背床部９の背面に設けられた断面がコ字状のガイド部材２２に転動可能に係合している。前記第２のアーム１９の他端部には第２のローラ２３が回転可能に設けられ、この第２のローラ２３は前記第１の脚床部１１の下面に接触している。
【００２１】
前記駆動モータ１５の作動し、前記第１のアーム１８が起立方向に駆動されると、前記背床部９が前記第１のローラ２１によって押圧されて起上方向に回動する。それと同時に、前記背床部９の回動に前記腰床部８が連動するようになっている。
【００２２】
前記駆動モータ１５の作動により、前記第２のアーム１９が起立方向に駆動されると、前記第２のローラ２３によって前記第１の脚床部１１が前記固定床部７との連結端を支点として上昇方向に回動する。
【００２３】
前記第１の脚床部１１が上昇方向に駆動されると、この１の脚床部１１の上昇に前記第２の脚床部１２が連動するから、これら第１、第２の脚床部１１，１２がほぼへの字状に屈曲する。
【００２４】
なお、前記駆動モータ１５を作動させて前記第１の駆動軸１６を駆動したとき、前記第２の駆動軸１７を選択的に駆動させることができるようになっている。図１は前記第１の駆動軸１６だけを作動させて背床部９を上昇方向に駆動し、第１の脚床部１１と第２の脚床部１１を上昇させていない状態を示している。
【００２５】
前記床板体６の上面には前記マットレス３１が載置される。このマットレス３１は内部にウレタンフォームやスプリングなどの弾性材が収容されていて、前記床板体６の各床部が起伏駆動されることで、その起伏駆動に応じて弾性的に湾曲されるようになっている。
【００２６】
前記マットレス３１の上面には利用者Ｕが仰臥する。図１に示すように、前記床板体６の背床部９が上方に向かって駆動され、前記マットレス３１の前記背床部９側に位置する長手方向の一端部側が上方に湾曲させられたとき、このマットレス３１の湾曲の内側となる上面には圧縮力が生じ、この圧縮力は利用者Ｕの背面に作用する。
【００２７】
そこで、前記マットレス３１には、このマットレス３１を湾曲させたとき、上面に生じる圧縮力が利用者Ｕの背面に作用するのを低減するための背上げ用寝装品３２が設けられる。この背上げ用寝装品３２はベース部材３３と、すべり部材３４を有する。
【００２８】
前記ベース部材３３は、たとえば朱子織りの生地、ポリエステルなどの合成樹脂繊維からなるシート、ポリエステルニット生地、伸縮性ウレタン合皮などの、滑沢性及び伸縮性を有するシート状の材料によって図２乃至図４に示すように、前記マットレス３１の上面を被覆する鏡部３３ａ、外周面を被覆するまち部３３ｂ及び下面の周辺部に係合する係合部３３ｃを有する袋状に形成されている。
【００２９】
前記ベース部材３３を、伸縮性を有するシート状の材料によって形成することで、このベース部材３３を前記マットレスに対して容易に着脱することが可能となる。
【００３０】
図４に示すように、前記係合部３３ｃの前記マットレス３１の四隅部に対応する部分には紐状のゴム部材３５が一体的に設けられ、前記係合部３３ｃを前記マットレス３１の下面周辺部に弾性的に係合させている。それによって、前記ベース部材３３は前記マットレス３１に移動不能に保持されている。
【００３１】
前記すべり部材３４は、たとえば朱子織りの生地、ポリエステルなどの合成樹脂繊維からなるシートなどのような、滑沢性及び伸縮性のうち、少なくとも滑沢性を有するシート状の材料を、ベッドパッドのように所定の厚さを有するシート状に縫製して形成されている。
【００３２】
それによって、互いに接触する前記ベース部材３３の上面と、前記すべり部材３４の下面は滑動可能なすべり面３３ｆ，３４ｆに形成されている。
【００３３】
前記すべり部材３４は、前記マットレス３１に被着された前記ベース部材３４の鏡部３３ａの上面に載置される。図２に示すように、前記鏡部３３ａの上面と、前記すべり部材３４の下面との、前記床板体６の前記第１、第２の脚床部１１，１２側に位置する他端部側の幅方向両端部には、それぞれ連結手段としての面状ファスナ３９ａ，３９ｂが設けられている。この実施の形態では、前記面状ファスナ３９ａ，３９ｂはマットレス３１の長手方向約半分の長さにわたって設けられている。
【００３４】
前記面状ファスナ３９ａ，３９ｂを係着させることで、前記すべり部材３４の他端部側は前記ベース部材３３に連結固定されている。それによって、前記マットレス３１の一端部側を上方に湾曲させたとき、前記すべり部材３４のすべり面３４ｆは前記ベース部材３３に連結されていない一端部側が前記ベース部材３３のすべり面３３ｆに対して滑動するようになっている。
【００３５】
図５と図６に示すように、前記ベース部材３３と前記すべり部材３４の長手方向の一端は、布地などの柔らかなシート状の材料によって形成されたずれ止め部材４１によって幅方向の全長が連結されている。
【００３６】
前記ずれ止め部材４１は、図５に示すようにすべり部材３４の一端を所定寸法上方へ持ち上げることができる長さ寸法を有する。つまり、前記ずれ止め部材４１は、前記すべり部材３４の一端部が前記ベース部材３３に対して滑動していない状態で、たるんだ状態となる長さを有する。
【００３７】
それによって、図６に示すように前記マットレス３１を湾曲させることで、前記すべり部材３４の一端部側が前記マットレス３１に装着された前記ベース部材３３の鏡部３３ａの上面、つまりすべり面３３ｆを上方に向かって滑るすべるとき、前記ずれ止め部材４１は、伸長しながら前記すべり部材３４の滑動を許容するとともに、前記すべり部材３４の一端部が前記マットレス３１の幅方向にずれるのを阻止するようになっている。
【００３８】
なお、前記ベース部材３３と前記すべり部材３４は、上述したように滑沢性を有するシート状の材料によって形成されているから、前記マットレス３１を湾曲させたとき、前記ベース部材３３に対して前記すべり部材３４の一端部が円滑に滑動することになる。
【００３９】
このように、起床式のベッド装置１に用いられるマットレス３１には、滑沢性及び伸縮性を有するシート状の材料によって形成されたベース部材３３を被着し、このベース部材３３の鏡部３３ａの上面には前記ベース部材３３と同様、滑沢性を有するシート状の材料によって形成されたすべり部材３４を設ける。そして、前記ベース部材３３とすべり部材３４の他端部側を面状ファスナ３９ａ，３９ｂによって連結するようにした。
【００４０】
そのため、利用者Ｕが上半身を起こしたい場合などに、前記ベッド装置１の背床部９を上昇方向に回動させることで、前記マットレス３１の一端部を上方に湾曲させると、前記マットレス３１に装着されたベース部材３３のすべり面３３ｆに対して前記すべり部材３４の一端部側の下面のすべり面３４ｆが滑動する。つまり、前記すべり部材３４の一端部側が起上するマットレス３１の一端部側を上方に向かって移動する。
【００４１】
そのため、前記マットレス３１を湾曲させたとき、前記マットレス３１の上面に生じる圧縮力は前記すべり部材３４の一端部側がマットレス３１の上面に対してスライドすることで、利用者Ｕの背面にはほとんど作用しなくなるから、利用者Ｕの背面がマットレス３１の上面に生じる圧縮力によって圧迫されるのが防止される。
【００４２】
前記ベース部材３３とすべり部材３４は、前記マットレス３１に装着することができる背上げ用寝装品３２である。そのため、起床式のベッド装置１に用いられる既存のマットレス３１、つまり背上げ時に利用者の背面に圧縮力が加わるのを防止することができない構造のマットレス３１に対し、簡単に装着して使用することができる。
【００４３】
すなわち、従来から使用されているマットレス３１に前記ベース部材３３とすべり部材３４を装着するだけで、背上げ時に利用者Ｕの背面にマットレス３１の上面に生じる圧縮力が加わるのを防止できる。そのため、既存のマットレスを交換せずにすむから、便利であり、経済的である。
【００４４】
しかも、前記すべり部材３４と、前記ベース部材３３は滑沢性を有するシート状の材料によって形成されている。そのため、マットレス３１を湾曲させたとき、前記すべり部材３４が前記ベース部材３３に対して円滑に滑ることになるから、このことによっても背上げ時に利用者Ｕの背面にマットレス３１の上面に生じる圧縮力が作用するのを防止することができる。
【００４５】
前記すべり部材３４の一端と、前記ベース部材３３の一端との幅方向の全長は、ずれ止め部材４１によって前記ベース部材３３の一端に連結されている。前記ベース部材３３に対して前記すべり部材３４がずれていない状態において、前記ずれ止め部材４１はたるんだ状態にある。
【００４６】
そのため、背上げ時に前記すべり部材３４の一端部側は、前記ずれ止め部材４１に邪魔されることなく、前記ベース部材３３に対して円滑に滑るばかりか、前記すべり部材３４が上昇方向に滑っても、その一端部がマットレス３１の幅方向にずれるのが防止される。
【００４７】
つまり、背上げ時に前記すべり部材３４の一端部側は前記ずれ止め部材４１に幅方向の動きが制限されるから、前記ベース部材３３に対して上昇方向に確実に滑動することになる。それによって、前記すべり部材３４の機能が確実に維持されることになる。
【００４８】
（第２の実施の形態）  
図７はこの発明の第２の実施の形態を示すベース部材３３とすべり部材３４の一部を示す拡大断面図である。第１の実施の形態では前記ベース部材３３とすべり部材３４とを滑沢性を有するシート状の材料によって形成したが、この第２の実施の形態では、前記ベース部材３３とすべり部材３４とは、滑沢性を備えていない布などのシート状の材料で形成されている。
【００４９】
そして、前記ベース部材３３の長手方向一端部側の上面と、前記すべり部材３４の長手方向一端部側の下面には、それぞれ幅方向に対して複数の帯状の滑沢性シート４３ａ，４２ｂを長手方向に沿って貼着や縫着などの手段で設けるようにしている。なお、滑沢性シート４３ａ，４２ｂを帯状とせず、前記ベース部材３３と前記すべり部材３４の長手方向一端部側の上面と下面の全体に設けるようにしてもよい。
【００５０】
このような構成であっても、前記マットレス３１を湾曲させたとき、前記ベース部材３３に対して前記すべり部材３４を円滑に滑動させることができる。
【００５１】
なお、前記ベース部材３３とすべり部材３４のどちらか一方を滑沢性を有するシート状の材料で形成し、他方に滑沢性シートを設けるようにしてもよい。
【００５２】
（第３の実施の形態）  
図８はこの発明の第３の実施の形態を示す。この実施の形態はベース部材とすべり部材の変形例である。ベース部材１３３は内部にマットレス３１を収容する第１の袋体１３３Ａによって形成されている。また、すべり部材１３４は第２の袋体１３４Ａに芯材４４を収容して構成されている。
【００５３】
前記第１の袋体１３３Ａと第２の袋体１３４Ａは、第１の実施の形態と同様、伸縮性及び滑沢性を有するシート状の材料によって形成されている。それによって、前記ベース部材１３３の上面は第１のすべり面３３ｆに形成され、すべり部材１３４の下面は第２のすべり面３４ｆとなっている。
【００５４】
前記第１の袋体１３３Ａと第２の袋体１３４Ａの外周面にはそれぞれファスナ４５，４６が全周にわたって設けられている。したがって、前記ファスナ４５，４５を開くことで、各袋体１３３Ａ，１３４Ａに収容されたマットレス３１と芯材４４を取り出して、これら袋体１３３Ａ，１３４Ａを洗濯したり、交換することができるようになっている。
【００５５】
前記芯材４４は、比較的硬質なウレタンフォームや熱可塑性樹脂を溶融した線状の材料を立体網目状に編んだシート状の部材、つまり弾性的に湾曲させることができるとともに、ある程度の硬さ、つまりマットレス３１を湾曲させる背上げ時に、屈曲することのない硬さ有するシート状の材料によって形成されている。
【００５６】
そのため、マットレス３１の一端部を上昇方向に湾曲させたとき、前記すべり部材１３４は、その第２のすべり面３４ｆが前記ベース部材１３３の第１のすべり面３３ｆを円滑に滑動する。つまり、前記すべり部材１３４を前記ベース部材３３に対して円滑に滑動させることができる。
【００５７】
この第３の実施の形態では、前記第１の袋体１３３Ａと第２の袋体１３４Ａが滑沢性を有するシート状の材料によって形成されているが、図７に示す第２の実施の形態のように、前記第１の袋体１３３Ａの上面と、前記第２の袋体１３４Ａの下面に、それぞれ複数の帯状の滑沢性シート４３ａ，４２ｂを長手方向に沿って貼着や縫着などによって設けるようにしてもよい。
【００５８】
（第４の実施の形態）  
図９はこの発明の第４の実施の形態である。この実施の形態は図８に示す第３の実施の形態の変形例であり、第１の袋体１３３Ａと第２の袋体１３４Ａが一体的に形成されている。つまり、前記第２の袋体１３４Ａは、長手方向一端部側だけが前記第１の袋体１３３Ａから分岐されていて、前記芯材４４は長手方向の一端部側が前記第１の袋体１３３Ａの分岐された部分に収容され、他端部側はマットレス３１の上面に設けられる。
【００５９】
前記第２の袋体１３４Ａの分岐された部分の下面と、この下面に対応する前記第１の袋体１３３Ａの上面は滑動可能な第１、第２のすべり面３３ｆ，３４ｆとなっている。
【００６０】
このような構成によれば、前記すべり部材１３４の第２の袋体１３４Ａは、前記ベース部材１３３の第１の袋体１３３Ａと一体的に設けられている。そのため、マットレス３１を上方へ湾曲させたとき、前記すべり部材１３４の一端部側を前記ベース部材１３３の幅方向にずれることなく滑動させることができる。
【００６１】
つまり、この第４の実施の形態によれば、第１の実施の形態に用いられるずれ止め部材４１を用いることなく、前記すべり部材１３４の一端部側が前記ベース部材１３３の幅方向にずれるのを防止できる。
【００６２】
（第５の実施の形態）  
図１０はこの発明の第５の実施の形態である。この実施の形態は図９に示す第４の実施の形態の変形例であって、前記すべり部材１３４の第２の袋体１３４Ａを、第４の実施の形態に比べて長くしている。また、第１の袋体１３３Ａの外周面に設けられるファスナ４５は、長手方向他端部の三方向に沿って設けるようにしている。
【００６３】
（第６の実施の形態）  
図１１は第１の実施の形態の変形例を示すこの発明の第６の実施の形態である。この実施の形態では、図９に示す第４の実施の形態と同様、ベース部材３３とすべり部材３４を一体的にするとともに、前記ベース部材３３の上面側の長手方向の一端部側だけを前記すべり部材３４から分岐するようにしている。
【００６４】
このような構成によれば、前記ベース部材３３とすべり部材３４の一端をずれ止め部材４１によって連結しなくとも、マットレス３１を上方へ湾曲させたときに、前記すべり部材３４の一端部側が前記ベース部材３３の幅方向にずれるのを防止することができる。
【００６５】
（第７の実施の形態）  
図１２と図１３はこの発明の第７の実施の形態を示す。この実施の形態はベース部材３３Ａとすべり部材３４Ａがともにシート状に形成されている。前記ベース部材３３Ａの長手方向の一端部と他端部にはそれぞれゴムなどの帯状の弾性材料によって形成されたバンド４８が両端を前記ベース部材３３Ａの幅方向の両端に連結して設けられている。
【００６６】
前記ベース部材３３Ａは一対のバンド４８をマットレス３１の長手方向一端部と他端部に係合させて前記マットレス３１の上面に移動不能に保持されている。前記すべり部材３４Ａは長手方向の他端部側の下面を、前記ベース部材３３Ａの長手方向の上面に、たとえば面状ファスナなどの連結手段によって連結して設けられる。
【００６７】
なお、図１３に示すように、前記ベース部材３３Ａと前記すべり部材３４Ａの長手方向の一端はずれ止め部材４１によって幅方向の全長が連結されている。
【００６８】
このような構成によれば、第１の実施の形態に比べてベース部材３３Ａの構成を簡略化することができるばかりか、このベース部材３３Ａをマットレス３１に対してように着脱することができる。
【００６９】
上述した各実施の形態ではマットレスの一端部側を起床式のベッド装置によって上方へ湾曲させる例を挙げて説明したが、マットレスとしては［背景技術］の欄で説明しているように、起床式のベッド装置を用いずに、内部に長手方向の一端部を湾曲させて上昇させることができる駆動機構が内蔵された構成のものであってもよい。
【００７０】
前記各実施の形態では、ベース部材のすべり面とすべり部材のすべり面との長手方向の一端部側、つまり長手方向の一端部側に約半分の長さを面状ファスナなどの連結手段で連結するようにしたが、長手方向の中途部だけを面状ファスナなどの連結手段によって連結するようにしてもよい。
【００７１】
図８乃至図１０の第３乃至第５に実施の形態において、袋状のベース部材の外周面にファスナを設けてマットレスを出し入れ可能な構成としたが、前記ベース部材の下面の幅方向中央部分に長手方向に沿ってファスナを設けるようにしてもよい。
【００７２】
図１乃至図６に示す第１の実施の形態、図８乃至図１３の第３乃至第７の実施の形態において、ベース部材が設けられたマットレスと、この上面に設けられるすべり部材とをさらにカバーによって覆うようにしてもよい。
【００７３】
その場合、前記カバーを伸縮性を有する材料で形成したり、マットレスの長さ寸法よりも長い袋状に形成し、マットレスを湾曲させたときに前記すべり部材の滑動が阻害されないようすることが好ましい。
【００７４】
マットレスを湾曲させたときに、すべり部材の一端部側がマットレスの幅方向にずれ動くのを防止するため、これらの一端をずれ防止部材で連結するようにした。  
それに代わって、ずれ止め部材の一端をすべり部材の一端に連結し、他端部をマットレスの下面側に導くことができる長さにし、その他端部をマットレスの下面或いはベース部材のマットレスの下面を被覆した部分に、面状ファスナなどの連結手段によって着脱可能、しかも連結位置の調整可能に連結するようにしてもよい。つまり、ずれ止め部材の他端部はベース部材やマットレスなど、マットレス側に連結する。
【００７５】
そのようにすれば、前記ずれ止め部材の他端部の連結位置を調整することができるから、前記マットレスの厚さや湾曲度合に応じて異なる、前記すべり部材のすべり長さに応じて前記ずれ止め部材のたるみ量、つまり他端部のマットレス側に対する連結位置を設定することができる。
【符号の説明】
【００７６】
１…ベッド装置、６…床板体、３１…マットレス、３２…寝装品、３３，１３３…ベース部材、３４，１３４…すべり部材、１３３Ａ…第１の袋体、１３４Ａ…第２の袋体、４４…芯材
【図１】
2015173855.tif 000003
【図２】
2015173855.tif 000004
【図３】
2015173855.tif 000005
【図４】
2015173855.tif 000006
【図５】
2015173855.tif 000007
【図６】
2015173855.tif 000008
【図７】
2015173855.tif 000009
【図８】
2015173855.tif 000010
【図９】
2015173855.tif 000011
【図１０】
2015173855.tif 000012
【図１１】
2015173855.tif 000013
【図１２】
2015173855.tif 000014
【図１３】
2015173855.tif 000015